(57)【要約】【課題】光源として複数の短寸のランプを用い、簡単な構造で、照度ムラの低い露光を行うことができる露光装置を提供する。ランプ交換が容易な露光装置を提供する。【解決手段】露光装置１００は、被露光体１１を搬送方向に搬送する搬送部２と、被露光体１１よりも、長手方向の長さが短い棒状の光源３２、及び、光源３２と被露光体１１との間に配置される偏光子３４を備えた複数の光照射ユニット３１を、水平面内で規定間隔に並べて配置した光照射部３とを有し、光照射ユニット３１は、光源３２および偏光子３４が被露光体１１に対して平行に配置され、且つ、各偏光子３４の偏光軸の方向が搬送方向に対して規定方向に設定され、各光源３２は、光源３２の長手方向が搬送方向に対して平行、または、斜め方向となるように配置されている。露光装置１００は、被露光体１１または光照射部３を搬送方向に対して交差する方向に揺動させる揺動手段５６ｂを有する。【選択図】図６
2014013277.tif 000002
【特許請求の範囲】
【請求項１】
偏光光を被露光体に照射する露光装置であって、
被露光体を搬送方向に搬送する搬送部と、
前記被露光体よりも、長手方向の長さが短い棒状の光源、および、前記光源と前記被露光体との間に配置される偏光子を備えた複数の光照射ユニットを、水平面内で規定間隔に並べて配置した光照射部と、を有し、
前記光照射ユニットは、前記光源および前記偏光子が前記被露光体の被露光面に対して平行に配置され、且つ、各偏光子の偏光軸の方向が前記搬送方向に対して規定方向に設定され、
前記光照射ユニットの各光源は、該光源の長手方向が前記搬送方向に対して平行となるように配置されている、または、斜め方向となるように配置されていることを特徴とする露光装置。
【請求項２】
前記搬送部により搬送される前記被露光体、または、前記光照射部を前記搬送方向に対して交差する方向に揺動させる揺動手段を有することを特徴とする請求項１に記載の露光装置。
【請求項３】
前記搬送部は、前記被露光体を前記光照射部に対して水平方向に移動自在とする移動手段と、
前記光照射部の各光照射ユニットから出射される光の強度を検出する検出部と、
前記検出部により検出された光の強度に基づいて、前記複数の光照射ユニットから前記被露光体に照射される光の照度ムラを低減するように、前記移動手段により、前記光照射部に対して前記被露光体を移動制御を行う制御部と、
を有することを特徴とする請求項１または請求項２に記載の露光装置。
【請求項４】
前記光照射部は、搬送方向に直交する方向に規定間隔で配置された複数の光照射ユニットが、前記搬送方向に沿って多段に配置されていることを特徴とする請求項１から請求項３のいずれかに記載の露光装置。
【請求項５】
前記光源の長手方向の長さが、前記偏光子の長さと略同じであり、
前記光源と前記偏光子との間の距離が、前記光源の長手方向の長さと略同じとなるように設定されていることを特徴とする請求項１から請求項４のいずれかに記載の露光装置。
【発明の詳細な説明】
【技術分野】
【０００１】
本発明は、偏光光により被露光体を露光する露光装置に関するものである。
【背景技術】
【０００２】
液晶パネル用配向膜、位相差フィルムなどの光学フィルム、タッチパネルの画面に用いられる反射防止膜フィルムなどの生産に、直線偏光や楕円偏光（円偏光を含む）を使った露光を行う偏光露光装置が知られている。
【０００３】
また、照射対象の基板（ワーク）などの幅よりも長い棒状の光源から出射した光を偏光素子により偏光し、その偏光光を照射対象に照射する偏光光照射装置が知られている（例えば、特許文献１参照）。
【先行技術文献】
【特許文献】
【０００４】
【特許文献１】特開２００６−１３３４９８号公報
【発明の概要】
【発明が解決しようとする課題】
【０００５】
しかしながら、照射対象の基板の幅よりも長い棒状の光源、例えば、ロングアーク水銀ランプなどの長寸のランプは、自重でランプ管の中央部がたわみ、照度ムラが生じる場合がある。このため、長寸のランプを用いた一般的な露光装置では、そのランプ管の中央部を支持する構造を要する。
【０００６】
また、ランプを長時間使用すると、ガラス管内の両端部付近に設けられた電極近傍が黒ずみ、有効照射部分が小さくなる場合がある。このため、一般的な露光装置は、長時間使用時であっても、露光に必要な照射領域を確保するために、予め比較的長いランプを用いていた。
また、ランプハウス内に収容された長寸のランプを交換する場合、比較的広い交換用スペースを要する。
また、露光装置の光源として長寸のランプを用いた場合、長寸のランプが高価であるので、ランプ交換に高い費用を要する。
【０００７】
本発明は、このような問題に対処することを課題の一例とするものである。すなわち、光源として複数の短寸のランプを用い、簡単な構造で、照度ムラの低い露光を行うことができる露光装置を提供すること、ランプ交換が容易な露光装置を提供すること、等が本発明の目的である。
【課題を解決するための手段】
【０００８】
このような目的を達成するために、本発明による露光装置は、以下の構成を少なくとも具備するものである。
【０００９】
偏光光を被露光体に照射する露光装置であって、被露光体を搬送方向に搬送する搬送部と、前記被露光体よりも、長手方向の長さが短い棒状の光源、および、前記光源と前記被露光体との間に配置される偏光子を備えた複数の光照射ユニットを、水平面内で規定間隔に並べて配置した光照射部と、を有し、前記光照射ユニットは、前記光源および前記偏光子が前記被露光体の被露光面に対して平行に配置され、且つ、各偏光子の偏光軸の方向が前記搬送方向に対して規定方向に設定され、前記光照射ユニットの各光源は、該光源の長手方向が前記搬送方向に対して平行となるように配置されている、または、該光源の長手方向が前記搬送方向に対して斜め方向となるように配置されていることを特徴とする露光装置。
【発明の効果】
【００１０】
このような構成を有する本発明によると、露光装置の光源として複数の短寸のランプを用い、簡単な構造で、照度ムラの低い露光を行うことができる。また、本発明によると、光源としての短寸のランプの交換が容易である。
【図面の簡単な説明】
【００１１】
【図１】本発明の実施形態に係る露光装置の一例を示す図であり、（ａ）は露光装置の平面図であり、（ｂ）は露光装置の側面図である。
【図２】本発明の実施形態に係る露光装置の光照射部の光照射ユニットの一例を示す図であり、（ａ）は光照射ユニットの平面図、（ｂ）は光照射ユニットの正面図である。
【図３】本発明の実施形態に係る露光装置の光照射ユニットの一例を示す図であり、（ａ）は光源と偏光子の斜視図、（ｂ）は棒状の光源と偏光子の側面図である。
【図４】本発明の実施形態に係る露光装置の光照射部の一例を示す図である。
【図５】本発明の実施形態に係る露光装置の偏光子の一例を示す平面図である。
【図６】本発明の実施形態に係る露光装置の構成の一例を示す図である。
【図７】本発明の実施形態に係る露光装置の短寸の棒状光源の交換の一例を示す図である。
【図８】比較例に係る露光装置の長寸の棒状光源の交換を示す図である。
【図９】本発明の実施形態に係る露光装置の制御装置の電気的な構成の一例を示す図である。
【図１０】光照射部の各光照射ユニットの輝度ムラの一例を示す図である。
【図１１】被露光体を搬送方向に搬送し、且つ、搬送方向に直交する方向に揺動させながら露光した場合の照度分布の一例を示す図である。
【図１２】被露光体を搬送方向に搬送させながら露光した場合の照度分布の一例を示す図である。
【図１３】本発明の他の実施形態に係る露光装置の一例を示す平面図である。
【図１４】図１３に示した露光装置の偏光子の一例を示す平面図である。
【図１５】本発明の他の実施形態に係る露光装置の複数の棒状光源の配置の一例を示す図であり、（ａ）は多段配置された各段の棒状光源の搬送方向への重なりが大きい場合の一例を示す図、（ｂ）は多段配置された各段の棒状光源の搬送方向への重なりが小さい場合の一例を示す図である。
【発明を実施するための形態】
【００１２】
以下、図面を参照しながら本発明の実施形態を説明する。
図１は、本発明の実施形態に係る露光装置１００の一例を示す図であり、図１（ａ）は露光装置１００の平面図であり、図１（ｂ）は露光装置１００の側面図である。
図２は露光装置１００の光照射部３の光照射ユニット３１の一例を示す図であり、図２（ａ）は光照射ユニット３１の平面図、図２（ｂ）は光照射ユニット３１の正面図である。
図３は、本発明の実施形態に係る露光装置１００の光照射ユニット３１の一例を示す図であり、図３（ａ）は棒状の光源３２と偏光子３４の斜視図であり、図３（ｂ）は棒状の光源３２と偏光子３４の側面図である。尚、図３（ａ）、図３（ｂ）において、フィルタ３３は図示していない。
図４は露光装置１００の光照射部３の一例を示す図である。図５は露光装置１００の偏光子３４の一例を示す平面図である。図６は本発明の実施形態に係る露光装置１００の構成の一例を示す図である。
尚、本実施形態においては、一例として、基板に露光を行う露光装置１００について説明するが、この形態に限らず、あらゆる露光装置に適用することができる。
【００１３】
本発明の実施形態に係る露光装置１００は、露光用の光源３２として複数の短寸のライトを用いている。
露光装置１００は、詳細には、搬送部２と、光照射部３と、制御部５１と、などを有する。
搬送部２は、例えば、ガラス製の基板１やフィルムなどを搬送方向に搬送する。この基板１やフィルム上には配向膜などの被露光体１１が形成されている。本実施形態では、基板１は、縦１８００ｍｍ、横１５００ｍｍ程度の矩形状に形成されている。
搬送部２は、ＸＹ可動ステージなどであってもよいし、基板１をエアで浮上させながら基板１を搬送する、いわゆるエアフロー搬送装置であってもよい。尚、以下の図示においては、搬送方向をＹ軸方向、水平面内でＹ軸方向に直交する方向をＸ軸方向、Ｘ軸およびＹ軸に垂直な方向をＺ軸方向として示している。
【００１４】
光照射部３は、短寸の棒状の光源３２と、偏光子３４とを備える複数の光照射ユニット３１を有し、光照射ユニット３１が水平面内で規定間隔に並べて配置されている。
【００１５】
光源３２は、基板１上に形成された被露光体１１よりも、長手方向の長さが短い棒状に形成されている。本実施形態では、光源３２は、長手方向の長さが１００ｍｍ程度に規定されている。光源３２としては、例えば、水銀ランプ、ＬＥＤ、ＬＤなどを採用することができる。光源３２としては、水銀ランプを採用する。本実施形態では、光源３２は、被露光体１１の被露光面に対して平行に配置され、光源３２の長手方向が搬送方向（Ｙ軸）に平行となるように配置されている。
また、本実施形態では、図１、図２、図３に示したように、光源３２は、下方に開口部が形成されたランプハウス３５内に配置されている。
また、ランプハウス３５内で光源３２の上部付近には、棒状の光源３２から出射された光を下方へ出射するするリフレクタ（光反射部３６）が設けられている。
【００１６】
偏光子３４は、光源３２と被露光体１１との間に配置されている。この偏光子３４は被露光体１１の被露光面に対して平行に配置されている。偏光子３４は、光源３２から無偏光の光が入射されると、規定された偏光軸を有する直線偏光を出射する。図３、図５に示したように、偏光子３４は、Ｙ軸と平行に偏光軸が設定されている。この偏光子３４は、ワイヤーグリッド、偏光ビームスプリッタ（ＰＢＳ）などで構成することができる。本実施形態では、偏光子３４として、ワイヤーグリッドを採用し、グリッドの方向がＸ軸と平行となるように構成されている。偏光子３４は、例えば、一辺の長さが１００ｍｍ程度の矩形状に規定されている。
【００１７】
本実施形態では、図１（ｂ）、図２（ｂ）に示したように、光源３２と偏光子３４との間に光学フィルタ３３が配置されている。光学フィルタ３３は、所定の波長の光のみを透過させる。詳細には、光学フィルタ３３は、光源３２から出射した所定の波長の光より長い波長の光を加熱防止のためにカットし、所定の波長よりも短い波長の光を被露光体１１へのダメージ防止のためにカットする。
【００１８】
本発明の実施形態に係る露光装置１００は、図３（ｂ）に示したように、光源３２から偏光子３４に入射する光の角度θｂが（偏光子３４に垂直に光が入射するとき０°）、４５°程度、または、４５°±１０°程度の範囲内であることが好ましい。
【００１９】
例えば、偏光子３４への入射角度θｂが略４５°より大きいと、偏光子３４から出射される光の強度が低減し、偏光子３４から射出される偏光の偏光軸の角度が基準（入射角度が０°の場合の偏光軸の角度を０°とする）と比べて、ずれ量（回転量）が大きい。偏光子３４への入射角度が略４５°より大きいと、被露光体１１の被露光面での偏光の偏光軸のずれ量のばらつきが大きくなる。
【００２０】
このため、本実施形態では、図３（ｂ）に示したように、光源３２の長手方向の長さが、偏光子３４の長さと略同じであり、光源３２と偏光子３４との間の距離Ｌｚが、光源３２の長手方向の長さ３２Ｌと略同じ長さ、または、その長さを基準として所定幅Ｌｚｃの範囲内となるように設定されることが好ましい。詳細には、偏光子３４は、例えば、光源３２と偏光子３４との間の距離Ｌｚが、光源側へ距離Ｌｚａ、または、被露光体１１側へ距離Ｌｚｂ内であることが好ましい。この距離Ｌｚａ、Ｌｚｂは、距離Ｌｚｃの１／２程度である。
光源３２と偏光子３４との間の距離Ｌｚが長いほど、偏光子３４へ入射する光は平行光の成分が大きくなるが、偏光子３４への光の強度は小さくなり、装置が大型となる。
【００２１】
本実施形態では、上述したように、棒状の光源３２から偏光子３４への入射角度θｂが略４５°より大きい光が偏光子３４に入射されず、棒状の光源３２から偏光子３４へ略平行光が入射する。
棒状の光源３２から出射される光は出射角度θaが０°±４５°となっている。偏光子３４への入射角度θｂが略４５°より大きい光が偏光子３４に入射されず、棒状の光源３２から偏光子３４へ略平行光が入射する。
すなわち、偏光子３４から出射される光強度が大きく、且つ、被露光面での偏光の偏光軸の基準からのばらつきを低減することができる。
【００２２】
また、図１、図４に示したように、光照射部３は、搬送方向に直交する方向に規定間隔で配置された複数の光照射ユニット３１が、搬送方向（Ｙ軸方向）に沿って多段に配置されている。
本実施形態では、複数の光照射ユニット３１が、搬送方向（Ｙ軸方向）に沿って２段、または３段に配置されている。第１段目ＤＡ、第２段目ＤＢ、第３段目ＤＣそれぞれでは、各光源３２の長手方向が搬送方向に平行に配置され、各段の光照射ユニット３１の光源３２は、搬送方向に対して互いに重ならないように設置されている。
【００２３】
このように、各段の複数の光照射ユニット３１による被露光体１１への照射で、照度ムラがある場合でも、被露光体１１を搬送方向に移動させながら露光を行うことで、各段ＤＡ、ＤＢ、ＤＣの光照射ユニット３１による照射強度の重ね合わせにより、照度ムラを低減することができる。
【００２４】
また、図４に示したように、各光照射ユニット３１の各光源３２が、細長形状の放電容器内の両端部３２ａ、３２ｂ付近に一対の電極を対向配置されたランプである。この棒状の光源３２（ランプ）は、中央部３２ｃで高い輝度、両端部３２ａ，３２ｂで低い輝度となっている。各光源３２の長手方向は搬送方向に平行に配置されており、基板１上の被露光体１１が搬送方向（Ｙ軸方向）に沿って搬送されるので、上記各棒状の光源３２（ランプ）による被露光体１１への照度ムラが低減する。
【００２５】
図７は、本発明の実施形態に係る露光装置１００の短寸の棒状光源の交換の一例を示す図である。図８は、比較例に係る露光装置の長寸の棒状光源の交換を示す図である。
【００２６】
図７に示したように、上記短寸の棒状の光源３２を用いることにより、光源３２としての短寸のランプを、ランプハウス３５からランプ長手方向に容易に取り外して交換することができる。
図８に示したように、比較例に係る露光装置では、長寸の棒状の光源３２ｐをランプハウス３５ｐからランプ長手方向に取り外して交換する場合、比較的大きなランプ交換用のスペースが必要となる。
【００２７】
図６に示した露光装置１００の搬送部２は、固定ステージ２１と、固定ステージ２１上に水平方向に移動自在とする移動手段としての可動ステージ２２と、を有する。
可動ステージ２２上には、被露光体１１が載置されている。また、可動ステージ２２には、光照射部３の各光照射ユニット３１から出射される光の強度を検出する検出部５３が形成されている。
【００２８】
検出部５３は、例えば、フォトダイオードなどの光検出素子が、可動ステージ２２の下流側端部付近などに、Ｘ軸方向に規定間隔で並べて配置されている。
【００２９】
また、可動ステージ２２には、この可動ステージ２２を搬送方向（Ｙ軸方向）に駆動するＹ軸方向駆動部５６ａと、可動ステージ２２を搬送方向と直交する方向（Ｘ軸方向）に駆動するＸ軸方向駆動部（揺動手段）５６ｂとが設けられている。
【００３０】
図９は、本発明の実施形態に係る露光装置１００の制御装置の電気的な構成の一例を示す図である。
図９に示したように、露光装置１００の制御装置は、制御部５１と、記憶部５２と、検出部５３と、入力部５４と、表示部５５と、ステージ駆動部５６と、などを有する。
【００３１】
制御部５１は、制御用のプログラムを実行することにより、各構成要素を統括的に制御し、露光装置１００に本発明に係る機能を実現する。制御部５１は、詳細には、光照射部３の制御や、ステージ駆動部５６による搬送部２の制御などを行う。
【００３２】
記憶部５２は、ＲＡＭやＲＯＭなどの記憶装置で構成され、制御用のプログラムや、各種データなどを記憶する。
【００３３】
検出部５３は、可動ステージ２２などに設けられ、光照射部３の各光照射ユニット３１から出射される光の強度を検出し、検出信号を制御部５１に出力する。
【００３４】
入力部５４は、キーボードやタッチパネルなどの入力操作装置であり、ユーザーの操作に応じた信号を制御部５１に出力する。
表示部５５は、制御部５１の制御により、露光装置１００に関する各種情報を表示する。
ステージ駆動部５６は、この可動ステージ２２を搬送方向（Ｙ軸方向）に駆動するＹ軸方向駆動部５６ａと、可動ステージ２２を搬送方向と直交する方向（Ｘ軸方向）に駆動するＸ軸方向駆動部（揺動手段）５６ｂとを有する。
【００３５】
制御部５１は、検出部５３により検出された光の強度に基づいて、複数の光照射ユニット３１から被露光体１１に照射される光の照度ムラを低減するように、移動手段としての可動ステージ２２を駆動するＹ軸方向駆動部５６ａやＸ軸方向駆動部（揺動手段）５６ｂにより、光照射部３に対して被露光体１１を移動制御を行う。
また、制御部５１は、検出部５３により検出された光の強度に基づいて、Ｘ軸方向駆動部（揺動手段）５６ｂによるＸ軸方向に沿った揺動の幅、速度などを適宜制御する。
具体的には、制御部５１は、検出部５３により検出された光の強度分布に比較的大きいムラがある場合、Ｘ軸方向駆動部（揺動手段）５６ｂによるＸ軸方向に沿った揺動の幅を大きくする、速度を大きくするなどの制御を行う。
【００３６】
図１０は、光照射部３の各光照射ユニット３１の輝度ムラの一例を示す図である。図１１は、被露光体１１を搬送方向に搬送し、且つ、搬送方向に直交する方向に揺動させながら露光した場合の照度分布の一例を示す図である。図１２は、被露光体を搬送方向に搬送させながら露光した場合の照度分布の一例を示す図である。図１１、図１２において、横軸はＸ軸方向の距離を示し、縦軸は照度を示す。
図１１において、搬送方向（Ｙ軸方向）への搬送速度と、搬送方向に直交する方向（Ｘ軸方向）へ揺動させる速度（往復速度）が同じ場合を示している。図１１において、搬送方向に直交する方向（Ｘ軸方向）への揺動の幅は、Ｘ軸方向へ隣接する各光照射ユニット３１間の間隔と同じに規定している。
【００３７】
本願発明者は、例えば、図１０に示したように、複数の光照射ユニット３１のうち、一部の光源３２の光の強度が、他の光源３２と比べて＋１０％、−１０％である光照射部３を有する露光装置１００について、照射光の測定を行った。
【００３８】
図１２に示したように、被露光体１１を搬送方向（Ｙ軸方向）にのみ搬送させながら露光した場合、各段の光照射ユニット３１の照度はそれぞれＸ軸方向に照度ムラがあるが、各段の光照射ユニット３１からの照度を重ね合わせると、光照射部３から被露光体１１への照度ムラが低減される。
【００３９】
図１１に示したように、さらに、被露光体１１を搬送方向（Ｙ軸方向）に搬送し、且つ、搬送方向に直交する方向（Ｘ軸方向）に揺動させながら露光した場合、各段の光照射ユニット３１からの照度の重ね合わせにより、光照射部３から被露光体１１への照度ムラがさらに低減される。
これは、各光照射ユニット３１から出射される光の強度にばらつきがある場合でも、本発明に係る露光装置１００では、光照射部３から被露光体１１への照度ムラを非常に低減することを示す。
【００４０】
図１３は、本発明の他の実施形態に係る露光装置１００の一例を示す平面図である。図１４は、図１３に示した露光装置１００の偏光子の一例を示す平面図である。図１５は露光装置１００の複数の棒状の光源３２の配置の一例を示す図であり、図１５（ａ）は多段配置された各段の棒状光源の搬送方向への重なりが大きい場合の一例を示す図、図１５（ｂ）は多段配置された各段の棒状光源の搬送方向への重なりが小さい場合の一例を示す図である。図１から図６などに示した実施形態と同じ構成などについては、説明を省略する。
【００４１】
上述した実施形態では、光照射ユニット３１の各光源３２は、光源３２の長手方向が搬送方向（Ｙ軸方向）に対して平行となるように配置されていたが、図１３に示した露光装置１００は、光照射ユニット３１の各光源３２の長手方向が搬送方向（Ｙ軸方向）に対して斜め方向となるように配置されていてもよい。
この場合、偏光子３４の偏光方向は、図１４に示したように、Ｙ軸方向などの規定方向となるように設定されている。
【００４２】
図１３、図１５に示したように、各段の光照射ユニット３１の光源３２は、隣接する段の最も近い光照射ユニット３１の光源に対して、搬送方向（Ｙ軸方向）に沿って一部分が重なるように設置されている。
こうすることで、各段の複数の光照射ユニット３１による被露光体１１への照射で、照度ムラがある場合でも、被露光体１１を搬送方向に移動させながら露光を行うことで、各段の光照射ユニット３１による照射強度の重ね合わせにより、照度ムラを低減することができる。
【００４３】
光照射ユニット３１の搬送方向（Ｙ軸方向）に沿って一部分が重なるように各段の光照射ユニット３１を配置した場合、この重なりの程度は、照度ムラを低減するように、適宜設定してもよい。
【００４４】
上述したように、棒状の光源３２（ランプ）は、中央部３２ｃで高い輝度、両端部３２ａ，３２ｂで低い輝度となっている。
このため、例えば、図１５（ａ）に示すように、搬送方向下流側の段ＤＢの棒状の光源３２の中央部３２ｃを通る搬送方向（Ｙ軸）に沿った中心線上に、搬送方向上流側の段ＤＡの棒状の光源３２の端部３２ａが位置し、搬送方向下流側の段ＤＢの棒状の光源３２の端部３２ｂを通る搬送方向（Ｙ軸）に沿った線上に、搬送方向上流側の段ＤＡの棒状の光源３２の中央部３２ｃが位置するように配置してもよい。
このように、図１５（ａ）に示した光源３２の配置では、露光時、被露光体１１を搬送方向（Ｙ軸方向）に搬送すると、搬送方向下流側の段ＤＢの棒状の光源３２と、搬送方向上流側の段ＤＡの棒状の光源３２それぞれの照度ムラが重ね合わせとなり、全体として照度ムラが低減される。
【００４５】
また、図１５（ｂ）に示したように、搬送方向下流側の段ＤＢの棒状の光源３２に対して、搬送方向上流側の段ＤＡの光源３２をＸ軸方向（図１５の右方向）にずらして配置してもよい。詳細には、搬送方向下流側の段ＤＢの棒状の光源３２の端部３２ｂを通る搬送方向（Ｙ軸）に沿った線上に、搬送方向上流側の段ＤＡの棒状の光源３２の端部３２ａが位置するように配置してもよい。
【００４６】
また、搬送方向下流側の段ＤＢの棒状の光源３２の中央部３２ｃを通る搬送方向（Ｙ軸）に沿った線と、段ＤＢの棒状の光源３２の端部３２ｂを通る搬送方向（Ｙ軸）に沿った線との間の範囲内に、搬送方向上流側の段ＤＡの棒状の光源３２の端部３２ａが位置するように配置してもよい。
【００４７】
上述したように、図１３、図１４、図１５に示したように、光源３２の長手方向が搬送方向に対して斜め方向となるように配置された露光装置１００は、被露光体１１を搬送方向にのみ搬送してもよいし、被露光体１１を搬送方向に搬送しつつ、揺動手段５６ｂにより、被露光体１１を搬送方向に対して交差する方向に揺動させながら、露光を行ってもよい。
【００４８】
以上、説明したように、本発明の実施形態に係る露光装置１００は、被露光体１１を搬送方向に搬送する搬送部２と、板状の基板上やフィルム上に設けられた被露光体１１よりも、長手方向の長さが短い棒状の光源３２、および、光源３２と被露光体との間に配置される偏光子を備えた複数の光照射ユニット３１を、水平面内で規定間隔に並べて配置した光照射部３とを有し、光照射ユニット３１は、光源３２および偏光子３４が被露光体１１の被露光面に対して平行に配置され、且つ、各偏光子３４の偏光軸の方向が搬送方向に対して規定方向に設定されている。
この光照射ユニット３１の各光源は、光源３２の長手方向が搬送方向に対して平行となるように配置されている、または、光源３２の長手方向が搬送方向に対して斜め方向となるように配置されている。
【００４９】
このため、光源３２として複数の短寸のランプを用い、簡単な構造で、照度ムラの低い露光を行うことができる露光装置１００を提供することができる。また、ランプ交換が容易な露光装置１００を提供することができる。
【００５０】
また、本発明の実施形態の露光装置１００は、搬送部２により搬送される被露光体１１、または、光照射部３を搬送方向に対して交差する方向に揺動させる揺動手段５６ｂを有する。
本実施形態では、揺動手段５６ｂは、被露光体１１が光照射部３に対して搬送方向に移動させるとともに、搬送方向に直交する方向に規定幅で揺動しながら移動させる。具体的には、被露光体１１が光照射部３に対して、水平面内で三角波、正弦波、ノコギリ波などを描く形態であってもよい。
すなわち、露光装置１００は、上記揺動手段５６ｂを有するので、光照射ユニット３１の各光源３２に輝度むらがある場合であっても、照射むらの低い露光を行うことができる。
【００５１】
また、本発明の実施形態によれば、搬送部２は、被露光体１１を光照射部３に対して水平方向に移動自在とする移動手段としての可動ステージ２２と、光照射部３の各光照射ユニット３１から出射される光の強度を検出する検出部５３と、検出部５３により検出された光の強度に基づいて、複数の光照射ユニットから被露光体に照射される光の照度ムラを低減するように、移動手段である可動ステージ２２により、光照射部３に対して被露光体１１を移動制御を行う制御部５１と、を有する。
このため、制御部５１が、各光源３２から照射される光の強度を検出部５３により常時検出し、可動ステージ２２に載置された被露光体１１を逐次移動制御することで、被露光体１１に照射される光の照度ムラを低減することができる。
【００５２】
また、複数の被露光体１１を順次露光する場合、制御部５１は、検出部５３により検出した光の強度を記憶部５２に記憶しておき、記憶部５２から読み出した光の強度の履歴に基づいて、被露光体１１に照射される光の照度ムラを低減するように光照射部３に対して移動制御してもよい。
【００５３】
また、本発明の実施形態に係る露光装置１００は、光照射部３が、搬送方向に直交する方向に規定間隔で配置された複数の光照射ユニットが、搬送方向に沿って多段に配置されている。このため、搬送方向に直交する方向に、１段だけ光照射ユニットを設けた露光装置と比較して、被露光体１１への輝度むらを低減することができる。
また、露光装置１００は、光照射部３が、搬送方向に直交する方向に規定間隔で配置された複数の光照射ユニットが、搬送方向に沿って多段に配置されている。
このため、被露光体１１の搬送方向に沿って多段に、複数の光照射ユニットを配置することで、１段だけ光照射ユニットを設けた露光装置と比較して、被露光体１１への照度ムラを低減することができる。
【００５４】
また、図１に示した露光装置１００では、複数の光照射ユニット３１の各光源３２の長手方向が搬送方向に平行に配置され、各段の光照射ユニット３１の光源３２は、搬送方向に対して互いに重ならないように設置されている。
このように、各段の複数の光照射ユニット３１による被露光体１１への照射で、照度ムラがある場合でも、被露光体１１を搬送方向に移動させながら露光を行うことで、各段の光照射ユニット３１による照射強度の重ね合わせにより、照度ムラを低減することができる。
【００５５】
また、図１３に示した露光装置１００では、光照射部３が、搬送方向に直交する方向に規定間隔で配置された複数の光照射ユニット３１が、搬送方向に沿って多段に配置され、光照射ユニット３１の各光源３２の長手方向が搬送方向に対して斜め方向に配置されている。
各段の光照射ユニット３１の光源３２は、隣接する段の最も近い光照射ユニットの光源に対して、搬送方向に沿って一部分が重なるように設置されている。
こうすることで、各段の複数の光照射ユニット３１による被露光体１１への照射で、照度ムラがある場合でも、被露光体１１を搬送方向に移動させながら露光を行うことで、各段の光照射ユニット３１による照射強度の重ね合わせにより、照度ムラを低減することができる。
【００５６】
また、本発明の実施形態に係る露光装置１００は、光源３２から偏光子３４に入射する光の角度が（偏光子３４に垂直に光が入射するとき０°）、４５°程度、または、４５°±１０°程度の範囲内であることが好ましい。
具体的には、露光装置１００は、光源３２の長手方向の長さが、偏光子３４の長さと略同じであり、光源３２と偏光子３４との間の距離が、光源３２の長手方向の長さと略同じ長さ、または、その長さよりも所定幅の範囲内となるように設定されることが好ましい。
【００５７】
本発明の実施形態では、上述したように、棒状の光源３２から偏光子３４への入射角度が略４５°より大きい光が偏光子３４に入射されず、棒状の光源３２から偏光子３４へ略平行光が入射する。すなわち、偏光子３４から出射される光強度が大きく、且つ、被露光面での偏光の偏光軸の基準からのばらつきを低減することができる。
【００５８】
尚、上述した実施形態では、露光装置１００は、基板１上の被露光体１１に偏光光を照射したが、この形態に限られるものではない。例えば、ロールトゥロール方式のフィルム製造ラインに本発明の露光装置を適用してもよい。
【００５９】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【符号の説明】
【００６０】
１：基板（フィルムなど）、２：搬送部，３：光照射部，５：制御装置，１１：被露光体（配向膜など），２１：固定ステージ，２２：可動ステージ，３１：光照射ユニット，３２：光源（ランプ），３３：フィルタ，３４：偏光子，３５：ランプハウス，３６：リフレクタ（光反射部），５１：制御部，５２：記憶部，５３：検出部，５４：入力部，５５：表示部，５６：ステージ駆動部，５６ａ：Ｙ軸方向駆動部，５６ｂ：Ｘ軸方向駆動部（揺動手段），１００：露光装置
【図１】
2014013277.tif 000003
【図２】
2014013277.tif 000004
【図３】
2014013277.tif 000005
【図４】
2014013277.tif 000006
【図５】
2014013277.tif 000007
【図６】
2014013277.tif 000008
【図７】
2014013277.tif 000009
【図８】
2014013277.tif 000010
【図９】
2014013277.tif 000011
【図１０】
2014013277.tif 000012
【図１１】
2014013277.tif 000013
【図１２】
2014013277.tif 000014
【図１３】
2014013277.tif 000015
【図１４】
2014013277.tif 000016
【図１５】
2014013277.tif 000017